(57)【要約】【課題】農耕地・庭先への、播種時・移植時・苗の生長期・収穫期・花卉鑑賞期、等何れの場所でも時期でも容易に農園芸用立支柱設置が可能な立支柱設置用固定材である事、又、コンクリート施工面等のベランダ・テラス・室内窓際等での農園芸用立支柱設置及び支柱棚の設置も可能で、家庭菜園や夏の西陽対策に適した、エコ対応が可能な製品である。【解決手段】立支柱設置用固定材本体の固定材導通中空管に直線鉄棒挿入後同鉄棒先端部を地中に打ち込み固定材本体を地表に固定し立支柱導通管へ立支柱を挿入し農園芸用立支柱及び支柱柵を設置する、又、コンクリート施工面及び地中埋設水道管等不明個所では、基盤付き固定具にて立支柱固定材本体を設置し、鑑賞花卉用及び家庭菜園用立支柱や支柱柵の設置を可能にした、又、植栽容器内用土に直接立支柱設置し植物の茎の捕捉固定を容易にする為の支柱設置用固定材の本体と基盤付き直線鉄棒固定具間を介する連結治具の提供である。【選択図】図１
0003161770.tif 000002
【実用新案登録請求の範囲】
【請求項１】
農園芸用立支柱の設置用固定材で、固定材の本体を農耕地表へ設置固定する為の直線鉄棒固定具の導通用中空管と同管上下に取り付けられた立支柱導通用中空短管２個から構成された立支柱設置用固定材で、農園芸用立支柱設置用固定材本体と同本体の農耕地面への打ち込み固定用の直線鉄棒固定具との組み合わせを特徴とする農園芸用立支柱設置用固定材と同材固定具。
【請求項２】
長方形基盤に概垂直に直線鉄棒固定具を溶接した農園芸用立支柱設置用固定材の固定具である、又、溶接部をネジ込み方式とし、直線鉄棒脱着可能形にする事で不使用保管時の体積の小型化を目的とする、又、直線鉄棒固定具の打ち込み不可能なコンクリート施工面等への立支柱設置による支柱柵の作成を可能とする特徴を持つ、農園芸用立支柱設置用固定材の固定用、長方形基盤付き直線鉄棒固定具。
【請求項３】
農園芸用立支柱設置用固定材の直線鉄棒導通用中空管と請求項２の長方形基盤に装着された、直線鉄棒固定具に導通させる鋼管を有する  コ又は、Ｕの字型加工の連結治具により、植栽容器中央部に立支柱設置を可能とし、植物の茎の立支柱への捕捉固定を容易にするを特徴とする農園芸用立支柱設置用固定材と長方形基盤付き直線鉄棒固定具間の連結治具。
【考案の詳細な説明】
【技術分野】
【０００１】  この考案は農園芸用立支柱設置用固定材と固定具及び連結治具に関する。
【背景技術】
【０００２】  采園での支柱棚の組み立ては、地中に杭を打ち込み立支柱を若干地中に突き立て、同立支柱をビニール紐等で杭に結束し、支柱棚を組み立てていた為作業時間を要していた、又、プランター及び植木鉢に支柱を設置する場合、前記の植栽容器の縁部に直接取り付ける方式の物は多く考案されているが、風に因る転倒は考慮されていない欠点を有する物が多く見られる。【０００３】  前記の杭打ち込み方式はコンクリート施工面等の場所やガス管・水道管等の地中埋設物の位置不明の場合杭打ち施工は不可能であり、支柱棚の設置はできなかった。【０００４】  耕作地用・プランター・鉢用等、多種の植栽環境に対応すべく考案された支柱安定装置はあるが、［特許文献１］其の内の数種は播種時点或いは移植時のみ設置可能との制限が付き、制限外での安定装置の設置は植物の毛根切断が発生する為必要に応じて随意に埋設できない欠点を有している［特許文献２］［特許文献３］はプランター・鉢への安定装置は植栽容器縁部へ治具を直接設置する為、強風時対策も無く、転倒事故の発生が予見できる欠点を有し、装置構造も複雑で製造原価高の要因を有している。
【先行技術文献】
【特許文献１】特開  平１０−４７９９
【特許文献２】特開  ２００１−１９７８３５
【特許文献３】特開  ２００５−１８５１２７
【考案の概要】
【考案が解決しようとする課題】
【０００５】  特許文献１にあっては、支柱安定装置の地中埋設部には数種の翼状型等の安定体が装着され、同装置設置に際し広範囲の埋設穴の掘削が必要となり、植物苗の成長期での設置は不可能である、又、プランター・鉢用の安定装置の形状では埋設条件は苗の移植時、又は、種捲き時に限定される不便さも有り、同装置は何時でも何処でも設置できない欠点を持ち、地中埋設物が所在する位置やコンクリート面（玄関先等）への花卉用支柱棚の設置は不可能で、其の上構造も複雑で安価での提供は期待できない欠点を持っている、又、特許文献２及び特許文献３は、いずれも植栽容器の上縁部を利用しての支柱装着装置のため、プランターの場合劣化による、弾力性消失時、装置の装着は不可能であり、植木鉢の場合は風に因る転倒防止対策が不充分な構造である。
【課題を解決するための手段】
【０００６】  そこで本考案の立支柱設置用固定材は固定材本体の直線鉄棒導通用中空管と農園芸用立支柱導通用短管２個にて形成されている、直線鉄棒導通用中空管の上端と下端部に短管の端を揃え合わせて結合した本体斜視図（図１）でシンプルな構造であり安価での提供が可能な農園芸用立支柱設置材で、同材設置の際、植物の毛根切断は最少限に止める事ができ、生育の阻害も防止できる。【０００７】  農園芸用立支柱設置材の本体を農耕地又は鑑賞緑地（庭先等）へ設置する場合固定材本体の直線鉄棒導通用中空管に直線鉄棒（固定具）を挿入し、同鉄棒の上部先端を打ち下部先端を農耕地中又は鑑賞緑地の地中に打ち込み固定材本体の固定をする。【０００８】  支柱柵を設置する場合、固定材本体を農耕地表に立て、同本体の直線鉄棒導通用中空管に約１０ｍｍ径の直線鉄棒（固定具）を挿入し、直線鉄棒上部先端を打ち、下部先端を農耕地中に打ち込み固定材本体を農耕地面に最低２箇所以上設置し、上下の支柱導通用短管部に立支柱を挿入し同支柱に横桟支柱を数段結束固定し菜園支柱棚を設置する。【０００９】  尚、設置用固定材本体の直線鉄棒導通用中空管の長さは約２０ｃｍ〜３５ｃｍが適切とし、農作物の種類により、耕す深さは違ってくるが、本体固定用の直線鉄棒（固定具）の長さは約５０ｃｍのもので立支柱設置用固定材本体の農耕地面への固定は充分可能である。【００１０】  設置用固定材の設置が不可能な場所（ベランダ・室内窓際等）へ設置する場合硬質樹脂製又は防錆処理を施した、鋼製平板基盤に直線鉄棒固定具を溶接した斜視図（図２）又は、基盤と直線鉄棒をネジ込み方式とし、脱着可能型とする事で不使用保管時の収納体積を縮小する、又基盤の両端に取っ手を設ける事で植栽容器移動を容易にした。【００１１】  基盤付き固定具にて、植栽容器の外側に立支柱設置した断面図（図３）又は植物の茎の支柱への補足を容易にする為に容器内への立支柱設置した断面図（図４）で示す、設置用固定材本体と基盤付き固定具の間には  コ、又は、Ｕの字型の連結治具が装備される、同連結治具の一方の固定材本体の直線鉄棒導通側と他方の基盤付き固定具の直線鉄棒導通用の鋼管の長さは概ね同寸法とし、連結治具が任意に上下移動できる幅を持つ構造とし、多種類の形状を有する植栽容器に対応が可能となる、立支柱設置用固定材本体と基盤付き固定具は連結治具を介して連結状態となり立支柱導通用短管上下２個に立支柱を挿入し先端部を植栽容器の用土内に挿入し立支柱の横ずれ防止を図る。
【考案の効果】
【００１２】  構造が簡素な為製造原価も安く、支柱設置も容易な為、短時間での設置及び撤去回収が可能である、現在市販中の園芸支柱は大別して直径８ｍｍ・１１・１６・２０ｍｍの４種で構成されている為、支柱導通用の上下短管は２種類の異径短管付き固定材にて対応できる、又、基盤付き固定具２個以上の使用により支柱柵の設置も可能となりベランダ・テラス・室内窓際等での家庭菜園や夏場の西陽対策も可能な用具の提供である。
【図面の簡単な説明】
【００１３】
【図１】  農耕地へ設置の農園芸用立支柱設置材本体と直線鉄棒固定具斜視図
【図２】  基盤付き固定具斜視図
【図３】  基盤付き固定具使用によるプランター用土に花卉植えつけした断面図
【図４】  コの字型連結治具使用によるプランター用土に花卉植えつけした断面図
【符号の説明】
【００１４】  １      立支柱設置材本体の直線鉄棒固定具導通用中空管
２      立支柱設置材本体の立支柱導通用短管
３      直線鉄棒固定具
４      鋼製平板基盤の直線鉄棒固定具溶接又はネジ止め脱着可能箇所
５      プランター
６      コの字型連結治具
７      基盤付き直線鉄棒固定具導通用  連結治具の中空鋼管
８      農園芸用立支柱
９      支柱棚用横桟支柱
１０    硬質樹脂製又は鋼製平板基盤
１１    植栽容器への花卉等植え付け後の移動を容易にする為の取っ手
【図１】
0003161770.tif 000003
【図２】
0003161770.tif 000004
【図３】
0003161770.tif 000005
【図４】
0003161770.tif 000006
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
農耕地表へ農園芸用立支柱の設置をする為の立支柱設置用固定材と、同固定材の本体を農耕地表へ設置固定する為の直線鉄棒固定具との組み合わせによる物である、形状は直線鉄棒固定具の導通用中空管と同管上下に取り付けられた立支柱導通用中空短管２個にて構成され、固定材本体の直線鉄棒固定具導通用中空管に直線鉄棒を挿通して農耕地表に打ち込み、立支柱設置用固定材を固定することを特徴とする、農園芸用立支柱設置用固定材と直線鉄棒固定具。
【請求項２】
請求項１記載の農園芸用立支柱設置用固定材の本体を硬質地表へ設置固定をする為の長方形基盤付直線鉄棒固定具であって、形状は長方形基盤と直線鉄棒固定具とで構成され、直線鉄棒固定具の下部先端には防錆加工した鋼製平板、又は、硬質樹脂製平板の長方形基盤を、溶接、又は、ネジ止め固定することを特徴とする、長方形基盤付直線鉄棒固定具。
【請求項３】
請求項１記載の農園芸用立支柱設置用固定材本体及び請求項２の長方形基盤付直線鉄棒固定具を使用して農園芸用立支柱及び支柱柵を設置する際に、農園芸用立支柱設置用固定材と長方形基盤付直線鉄棒固定具の間に連結設置する連結冶具であって、形状は  コ、又は、Ｕの字型に曲げ加工した直線鉄棒の両先端の片側に長方形基盤付直線鉄棒固定具を挿通させる中空鋼管を形成し、他方側は農園芸用立支柱設置用固定材本体の直線鉄棒導通用中空管への挿通を容易にする為に直線鉄棒形状とする、連結治具。